(57)【要約】【課題】食品などの商品に関連する商品関連情報として消費者にとって有効な情報を提供し、実際の商品を具体的にイメージすることが可能な商品関連情報を提供する。【解決手段】商品関連情報管理サーバ１０が、消費者が使用する消費者端末２１からの依頼に応じて商品の概要の一覧が掲載された商品カタログを閲覧可能な商品カタログ閲覧画面を提供し、消費者端末２１からの商品カタログ閲覧画面にて選択された商品の商品関連情報の提供依頼に応じて、その商品の商品関連情報を閲覧可能な商品関連情報閲覧画面を生成し、生成した商品関連情報閲覧画面を消費者端末２１に通信ネットワーク３０を介して提供する構成とし、商品関連情報閲覧画面を生成する際に、該当商品を飲食する際の盛り付け例を示す画像を含む商品関連情報を閲覧可能な商品関連情報閲覧画面を生成する。【選択図】図３
2010003026.tif 000002
【特許請求の範囲】
【請求項１】
食物や飲料物の商品に関連する商品関連情報を管理する商品関連情報管理サーバであって、
消費者が使用する消費者端末からの依頼に応じて商品の概要の一覧が掲載された商品カタログを閲覧可能な商品カタログ閲覧画面を提供する商品カタログ閲覧画面提供手段と、
前記消費者端末からの前記商品カタログ閲覧画面にて選択された商品の商品関連情報の提供依頼に応じて、当該商品の商品関連情報を閲覧可能な商品関連情報閲覧画面を生成する商品関連情報閲覧画面生成手段と、
該商品関連情報閲覧画面生成手段によって生成された商品関連情報閲覧画面を前記消費者端末に通信ネットワークを介して提供する商品関連情報閲覧画面提供手段とを含み、
前記商品関連情報閲覧画面生成手段は、該当商品を飲食する際の盛り付け例を示す画像を含む商品関連情報を閲覧可能な商品関連情報閲覧画面を生成する
ことを特徴とする商品関連情報管理サーバ。
【請求項２】
前記商品関連情報閲覧画面生成手段は、該当商品を飲食する際の盛り付け例を示す画像の他、該当商品の商品名、調理方法、保存方法、内容量、原料を含む商品関連情報を閲覧可能な商品関連情報閲覧画面を生成する
請求項１記載の商品関連情報管理サーバ。
【請求項３】
各商品の商品関連情報が蓄積された商品関連情報データベースを含み、
前記商品関連情報閲覧画面生成手段は、前記商品カタログ閲覧画面にて選択された商品の商品関連情報を前記商品関連情報データベースから読み出して、読み出した商品関連情報を用いて商品関連情報閲覧画面を生成する
請求項１または請求項２に記載の商品関連情報管理サーバ。
【請求項４】
該当商品を飲食する際の盛り付け例を示す画像は、盛り付けた際に発生する湯気あるいは冷気を含む動画像である
請求項１から請求項３のうちいずれかに記載の商品関連情報管理サーバ。
【請求項５】
該当商品を飲食する際の盛り付け例を示す画像に湯気あるいは冷気を重畳した動画像を生成する動画像生成手段を含み、
前記商品関連情報閲覧画面生成手段は、前記動画像生成手段によって生成された該当商品を飲食する際の盛り付け例を示す動画像を含む商品関連情報を閲覧可能な商品関連情報閲覧画面を生成する
請求項４記載の商品関連情報管理サーバ。
【請求項６】
消費者が使用する消費者端末と、食物や飲料物の商品に関連する商品関連情報を管理する商品関連情報管理サーバとを含む商品関連情報管理システムであって、
前記商品関連情報管理サーバは、
前記消費者端末からの依頼に応じて商品の概要の一覧が掲載された商品カタログを閲覧可能な商品カタログ閲覧画面を提供する商品カタログ閲覧画面提供手段と、
前記消費者端末からの前記商品カタログ閲覧画面にて選択された商品の商品関連情報の提供依頼に応じて、当該商品の商品関連情報を閲覧可能な商品関連情報閲覧画面を生成する商品関連情報閲覧画面生成手段と、
該商品関連情報閲覧画面生成手段によって生成された商品関連情報閲覧画面を前記消費者端末に通信ネットワークを介して提供する商品関連情報閲覧画面提供手段とを含み、
前記商品関連情報閲覧画面生成手段は、該当商品を飲食する際の盛り付け例を示す画像を含む商品関連情報を閲覧可能な商品関連情報閲覧画面を生成する
ことを特徴とする商品関連情報管理システム。
【請求項７】
前記商品関連情報閲覧画面生成手段は、該当商品を飲食する際の盛り付け例を示す画像の他、該当商品の商品名、調理方法、保存方法、内容量、原料を含む商品関連情報を閲覧可能な商品関連情報閲覧画面を生成する
請求項６記載の商品関連情報管理システム。
【請求項８】
各商品の商品関連情報が蓄積された商品関連情報データベースを含み、
前記商品関連情報閲覧画面生成手段は、前記商品カタログ閲覧画面にて選択された商品の商品関連情報を前記商品関連情報データベースから読み出して、読み出した商品関連情報を用いて商品関連情報閲覧画面を生成する
請求項６または請求項７に記載の商品関連情報管理システム。
【請求項９】
該当商品を飲食する際の盛り付け例を示す画像は、盛り付けた際に発生する湯気あるいは冷気を含む動画像である
請求項６から請求項８のうちいずれかに記載の商品関連情報管理システム。
【請求項１０】
該当商品を飲食する際の盛り付け例を示す画像に湯気あるいは冷気を重畳した動画像を生成する動画像生成手段を含み、
前記商品関連情報閲覧画面生成手段は、前記動画像生成手段によって生成された該当商品を飲食する際の盛り付け例を示す動画像を含む商品関連情報を閲覧可能な商品関連情報閲覧画面を生成する
請求項９記載の商品関連情報管理システム。
【発明の詳細な説明】
【技術分野】
【０００１】
本発明は、食物や飲料物の商品に関連する商品関連情報を管理する商品関連情報管理サーバで、及び当該サーバを含む商品関連情報管理システムに関する。
【背景技術】
【０００２】
従来から、食品や飲料物などの商品についての生産履歴などの情報を消費者に提供するシステムが提案されている。特許文献１には、消費者からの商品に関する履歴等の問い合わせに対して、履歴情報を検索して消費者に提供する食品情報提供システムが開示されている。また、特許文献２には、生産者によって登録された食品情報を消費者に提供する商品情報開示システムが開示されている。
【０００３】
【特許文献１】特開２００２−２９７７００号公報
【特許文献２】特開２００２−３６６６２４号公報
【発明の開示】
【発明が解決しようとする課題】
【０００４】
しかしながら、上述した従来のシステムでは、商品の履歴情報や生産者による登録情報を提供するものに過ぎないため、消費者に商品の具体的な利用方法をイメージさせることができず、ウェブ上で購入した商品と実際の商品のイメージが一致しないという問題があった。
【０００５】
本発明は、上述した問題を解消し、食品などの商品に関連する商品関連情報として消費者にとって有効な情報を提供することができ、実際の商品を具体的にイメージすることが可能な商品関連情報を通信ネットワークを介して提供することができるようにすることを目的とする。
【課題を解決するための手段】
【０００６】
本発明の商品関連情報管理サーバは、食物や飲料物の商品に関連する商品関連情報を管理する商品関連情報管理サーバであって、消費者が使用する消費者端末からの依頼に応じて商品の概要の一覧が掲載された商品カタログを閲覧可能な商品カタログ閲覧画面を提供する商品カタログ閲覧画面提供手段と、前記消費者端末からの前記商品カタログ閲覧画面にて選択された商品の商品関連情報の提供依頼に応じて、当該商品の商品関連情報を閲覧可能な商品関連情報閲覧画面を生成する商品関連情報閲覧画面生成手段と、該商品関連情報閲覧画面生成手段によって生成された商品関連情報閲覧画面を前記消費者端末に通信ネットワークを介して提供する商品関連情報閲覧画面提供手段とを含み、前記商品関連情報閲覧画面生成手段は、該当商品を飲食する際の盛り付け例を示す画像を含む商品関連情報を閲覧可能な商品関連情報閲覧画面を生成することを特徴とする。
【０００７】
上記のように構成したことで、食品などの商品に関連する商品関連情報として消費者にとって有効な情報を提供することができ、実際の商品を具体的にイメージすることが可能な商品関連情報を通信ネットワークを介して提供することができるようになる。
【０００８】
前記商品関連情報閲覧画面生成手段は、該当商品を飲食する際の盛り付け例を示す画像の他、該当商品の商品名、調理方法、保存方法、内容量、原料を含む商品関連情報を閲覧可能な商品関連情報閲覧画面を生成する構成とされていてもよい。
【０００９】
各商品の商品関連情報が蓄積された商品関連情報データベースを含み、前記商品関連情報閲覧画面生成手段は、前記商品カタログ閲覧画面にて選択された商品の商品関連情報を前記商品関連情報データベースから読み出して、読み出した商品関連情報を用いて商品関連情報閲覧画面を生成する構成とされていてもよい。
【００１０】
該当商品を飲食する際の盛り付け例を示す画像は、例えば、盛り付けた際に発生する湯気あるいは冷気を含む動画像である。
【００１１】
該当商品を飲食する際の盛り付け例を示す画像に湯気あるいは冷気を重畳した動画像を生成する動画像生成手段を含み、前記商品関連情報閲覧画面生成手段は、前記動画像生成手段によって生成された該当商品を飲食する際の盛り付け例を示す動画像を含む商品関連情報を閲覧可能な商品関連情報閲覧画面を生成する構成とされていてもよい。
【００１２】
また、本発明の商品関連情報管理システムは、消費者が使用する消費者端末と、食物や飲料物の商品に関連する商品関連情報を管理する商品関連情報管理サーバとを含む商品関連情報管理システムであって、前記商品関連情報管理サーバは、前記消費者端末からの依頼に応じて商品の概要の一覧が掲載された商品カタログを閲覧可能な商品カタログ閲覧画面を提供する商品カタログ閲覧画面提供手段と、前記消費者端末からの前記商品カタログ閲覧画面にて選択された商品の商品関連情報の提供依頼に応じて、当該商品の商品関連情報を閲覧可能な商品関連情報閲覧画面を生成する商品関連情報閲覧画面生成手段と、該商品関連情報閲覧画面生成手段によって生成された商品関連情報閲覧画面を前記消費者端末に通信ネットワークを介して提供する商品関連情報閲覧画面提供手段とを含み、前記商品関連情報閲覧画面生成手段は、該当商品を飲食する際の盛り付け例を示す画像を含む商品関連情報を閲覧可能な商品関連情報閲覧画面を生成することを特徴とする。
【発明の効果】
【００１３】
本発明によれば、食品などの商品に関連する商品関連情報として消費者にとって有効な情報を提供することができ、実際の商品を具体的にイメージすることが可能な商品関連情報を通信ネットワークを介して提供することができるようになる。
【発明を実施するための最良の形態】
【００１４】
以下、本発明の一実施の形態について図面を参照して説明する。
図１は、本発明の一実施の形態に係る商品関連情報管理システム１００の構成の例を示すブロック図である。図１に示すように、商品関連情報管理システム１００は、商品関連情報管理サーバ１０と、消費者端末２１〜２Ｎ（Ｎ＝１，２、・・・）とを含む。商品関連情報管理サーバ１０、および消費者端末２１〜２Ｎは、それぞれ、例えばインターネットなどの通信ネットワーク３０に接続されている。
【００１５】
商品関連情報管理サーバ１０は、ＷＷＷサーバなどの情報処理装置によって構成される。消費者端末２１〜２Ｎは、パーソナルコンピュータなどの情報処理装置によって構成される。
【００１６】
商品関連情報管理サーバ１０は、例えば商品関連情報管理システム１００のシステム管理者によって管理されるサーバであり、商品関連情報の提供などの各種の処理を実行する機能を有する。消費者端末２１〜２Ｎは、それぞれ、消費者によって管理される端末装置である。
【００１７】
商品関連情報管理サーバ１０は、各商品の名称や生産履歴などの商品に関連する商品関連情報が格納される商品関連情報格納ＤＢ１１を備えている。「商品関連情報」は、商品に関連する各種の情報であって、例えば図２に示すように、該当する商品の商品名、その商品を一意に特定可能な商品コード、その商品を生産・製造した商品メーカ、その商品の値段、その商品における原料や内容量、その商品の生産履歴や流通履歴を示す商品履歴情報、その商品の保存方法、その商品の調理方法、その商品の盛り付け例動画データなどを含む。この商品関連情報は、各商品について商品メーカなどによってあらかじめ作成されて商品関連情報格納ＤＢ１１に蓄積される。図２に示す情報の他、商品の発売日、販売地域、販売実績、賞味期限などが商品関連情報に含まれていてもよい。なお、商品関連情報格納ＤＢ１１は、商品関連情報管理サーバ１０の内部にあっても外部にあってもよい。
【００１８】
また、商品関連情報管理サーバ１０は、各商品の一覧が商品チラシのような態様で掲載される商品カタログを示す商品カタログ情報が格納される商品カタログ情報格納ＤＢ１２を備えている。この商品カタログ情報は、本例では、例えば小売店が管理する小売店端末（図示せず）から通信ネットワーク３０を介して収集されて、商品カタログ情報格納ＤＢ１２に蓄積される。なお、商品カタログ情報格納ＤＢ１２は、商品関連情報管理サーバ１０の内部にあっても外部にあってもよい。
【００１９】
次に、本例の商品関連情報管理システム１００の動作について説明する。
図３は、本例の商品関連情報管理システム１００における商品関連情報提供処理の例を示すフローチャートである。ここでは、消費者Ｘが操作する消費者端末２１からの依頼に応じて商品関連情報を提供する場合を例に説明する。
【００２０】
商品関連情報提供処理において、先ず、消費者端末２１は、消費者Ｘの操作に応じて、商品関連情報管理サーバ１０にアクセスし（具体的には、商品関連情報管理サーバ１０が開設している商品関連情報閲覧サイトにアクセスする。）、あらかじめ消費者Ｘに付与されている消費者ＩＤを提示して、商品カタログ情報の提供依頼を行う（ステップＳ１０１）。消費者ＩＤは、各消費者を一意に特定可能な識別コードである。
【００２１】
商品関連情報管理サーバ１０は、商品カタログ情報の提供依頼を受けると、商品カタログ情報格納ＤＢ１２から商品カタログ情報を読み出して、読み出した商品カタログ情報が示す商品カタログが掲載された商品カタログ閲覧画面を生成し、消費者端末２１に対して送信する（ステップＳ１０２）。
【００２２】
商品関連情報管理サーバ１０からの商品カタログ閲覧画面を受信すると（ステップＳ１０３）、消費者端末２１は、受信した商品カタログ閲覧画面を自己が備える表示装置に表示する（ステップＳ１０４）。
【００２３】
商品カタログ閲覧画面には、例えば図４に示すように、各商品の概要が掲載されている商品概要掲載領域Ｉ１〜Ｉ６が設けられている。各商品概要掲載領域Ｉ１〜Ｉ６には、該当商品の概要を示す情報として、例えば、商品の外観（例えば商品名を視認可能な写真）と、該当商品の値段とが表示される。その他、商品名や商品メーカ名などが表示されるようにしてもよい。
【００２４】
消費者端末２１は、商品概要掲載領域Ｉ１〜Ｉ６に掲載されている各商品のいずれかの消費者Ｘによる選択を受け付ける（ステップＳ１０５）。具体的には、消費者端末２１は、消費者ＸによるカーソルＫの操作によって商品概要掲載領域Ｉ１〜Ｉ６の何れかが選択された場合に、選択された商品概要掲載領域に掲載されている商品が選択されたものとして受け付ける。すなわち、消費者Ｘは、例えば、マウスによってカーソルＫを操作して、希望の商品が掲載されている商品概要掲載領域内にカーソルＫが位置している状態でマウスクリックすることによって商品を選択する。
【００２５】
商品カタログに掲載されている商品の選択を受け付けると、消費者端末２１は、商品関連情報管理サーバ１０に対して、あらかじめ消費者Ｘに付与されている消費者ＩＤと選択を受け付けた商品を一意に特定可能な情報（例えば商品コード）とを提示して、受け付けた商品についての商品関連情報の提供依頼を行う（ステップＳ１０６）。
【００２６】
商品関連情報管理サーバ１０は、商品関連情報の提供依頼を受けると、商品コードによって特定される商品の商品関連情報を商品関連情報格納ＤＢ１１から読み出して、読み出した商品関連情報が掲載される商品関連情報閲覧画面を生成し、消費者端末２１に対して送信する（ステップＳ１０７）。
【００２７】
商品関連情報管理サーバ１０からの商品関連情報閲覧画面を受信すると（ステップＳ１０８）、消費者端末２１は、受信した商品関連情報閲覧画面を自己が備える表示装置に表示する（ステップＳ１０９）。
【００２８】
商品関連情報閲覧画面には、例えば図５に示すように、該当商品の商品名、調理方法、保存方法、内容量、原料などの該当商品の詳細な情報を表示する商品詳細情報表示領域１０１と、商品関連情報に含まれている該当商品の盛り付け例動画データに基づく動画が表示される盛り付け例動画表示領域１０２と、該当商品を購入する際に押下される購入ボタン１０３と、商品カタログ閲覧画面に戻る際に押下される戻るボタン１０４とが設けられている。図５には、図４に示した商品カタログ閲覧画面において商品概要掲載領域Ｉ１の○○ギョーザが選択された場合の商品関連情報閲覧画面の例が示されている。
【００２９】
盛り付け例動画表示領域１０２には、該当商品である食品の実際の利用状態として、例えば図５に示すように、該当商品である加熱食品が調理されて盛り付けられた状態である湯気が上がっている動画が表示される。
【００３０】
また、例えば図６に示すように、商品関連情報閲覧画面における盛り付け例動画表示領域１０２に、該当商品である食品の実際の利用状態として、該当商品である氷菓子が盛り付けられた状態である冷気が出ている動画が表示される。なお、冷気が発生するものであれば、氷菓子以外の冷気発生食品であってもよい。
【００３１】
上記のようにして、商品関連情報管理サーバ１０は、実際の商品を消費者がイメージできるような盛り付け例動画を含む商品関連情報を提供する処理を行う。
【００３２】
以上に説明したように、上述した一実施の形態では、食物や飲料物の商品に関連する商品関連情報を管理する商品関連情報管理サーバ１０が、消費者が使用する消費者端末２１からの依頼に応じて商品の概要の一覧が掲載された商品カタログを閲覧可能な商品カタログ閲覧画面（図４参照）を提供し、消費者端末２１からの商品カタログ閲覧画面にて選択された商品の商品関連情報の提供依頼に応じて、その商品の商品関連情報を閲覧可能な商品関連情報閲覧画面を生成し、生成した商品関連情報閲覧画面を消費者端末２１に通信ネットワーク３０を介して提供する構成とし、商品関連情報閲覧画面を生成する際に、該当商品を飲食する際の盛り付け例を示す画像を含む商品関連情報を閲覧可能な商品関連情報閲覧画面を生成する構成としているので、食品などの商品に関連する商品関連情報として消費者にとって有効な情報を提供することができ、実際の商品を具体的にイメージすることが可能な商品関連情報を通信ネットワークを介して提供することができるようになる。
【００３３】
すなわち、商品関連情報管理サーバ１０が、商品を飲食する際の盛り付け例を示す画像を含む商品関連情報を閲覧可能な商品関連情報閲覧画面を生成して消費者端末２１に提供する構成としているので、消費者にとっては、商品カタログにて選択した商品について、その商品や商品の包装のみではイメージし難い商品の盛り付け状態を画像で閲覧することが可能となり、商品を実際に飲食する際の状態のイメージを具体的に持つことが可能となる。このように、消費者にとって有効な商品関連情報を提供することができるようになる。
【００３４】
また、上述した実施の形態では、商品関連情報管理サーバ１０が、該当商品を飲食する際の盛り付け例を示す画像の他、該当商品の商品名、調理方法、保存方法、内容量、原料を含む商品関連情報を閲覧可能な商品関連情報閲覧画面を生成する構成としているので、消費者にとって有効な商品関連情報を提供することができるようになる。
【００３５】
また、上述した実施の形態では、商品関連情報管理サーバ１０が、商品カタログ閲覧画面にて選択された商品の商品関連情報を商品関連情報格納ＤＢ１１から読み出して、読み出した商品関連情報を用いて商品関連情報閲覧画面を生成する構成としているので、該当商品を飲食する際の盛り付け例を示す画像を含む商品関連情報を用いた商品関連情報閲覧画面を簡単に生成することが可能となる。
【００３６】
また、上述した実施の形態では、商品関連情報管理サーバ１０が、該当商品を飲食する際の盛り付け例を示す画像として、商品を調理するなどしたあと盛り付けた際に発生する湯気あるいは冷気を含む動画像を用いる構成としたので、リアルな盛り付け例の画像を提供することが可能となり、商品を実際に飲食する際の状態のイメージを消費者に具体的に持たせることが可能となる。
【００３７】
また、上述した実施の形態では、盛り付け例の画像として湯気あるいは冷気を含む動画像を予め商品関連情報格納ＤＢ１１に格納しておく構成としていたが、湯気あるいは冷気を含まない盛り付け例の画像を予め商品関連情報格納ＤＢ１１に格納しておくこととし、商品関連情報管理サーバ１０が、商品関連情報格納ＤＢ１１に格納されている該当商品を飲食する際の盛り付け例を示す画像に、湯気あるいは冷気を重畳した動画像を生成し、生成した該当商品を飲食する際の盛り付け例を示す動画像を含む商品関連情報を閲覧可能な商品関連情報閲覧画面を生成する構成としてもよい。この場合、商品関連情報格納ＤＢ１１には、湯気あるいは冷気を含まない商品の盛り付け例の画像と、該当商品が湯気を発生する湯気発生商品であるのか冷気を発生する冷気発生商品であるのかを識別可能な識別子とが対応付けされて格納される。そして、商品関連情報管理サーバ１０は、対応付けされている識別子に応じて、湯気または冷気を重畳する処理を実行する。なお、湯気を示す動画像と、冷気を示す動画像は、予め作成されて商品関連情報格納ＤＢ１１に格納されているものとする。このように構成すれば、盛り付け例を示す画像を容易に作成することができ、かつ、リアルな盛り付け例の画像を提供することが可能となり、商品を実際に飲食する際の状態のイメージを消費者に具体的に持たせることが可能となる。
【００３８】
なお、上述した実施の形態では、一つの商品に盛り付け例の画像が一つだけ示されるようにしていたが、一つの商品に対して複数の盛り付け例の画像が対応付けされていてもよい。この場合、例えば、調理例を複数例示し、その調理例毎に完成品としての盛り付け例の画像を対応付けしておくようにすればよい。
【産業上の利用可能性】
【００３９】
本発明によれば、食品などの商品に関連する商品関連情報として消費者にとって有効な情報を提供するのに有用である。
【図面の簡単な説明】
【００４０】
【図１】本発明の一実施の形態に係る商品関連情報管理システムの構成の例を示すブロック図である。
【図２】商品関連情報の例を示す説明図である。
【図３】商品関連情報提供処理の例を示すフローチャートである。
【図４】商品カタログ閲覧画面の例を示す説明図である。
【図５】商品関連情報閲覧画面の例を示す説明図である。
【図６】商品関連情報閲覧画面の他の例を示す説明図である。
【符号の説明】
【００４１】
１０        商品関連情報管理サーバ
１１        商品関連情報格納ＤＢ
１２        商品カタログ情報格納ＤＢ
２１〜２Ｎ  消費者端末
３０        通信ネットワーク
１００      商品関連情報管理システム
【図１】
2010003026.tif 000003
【図２】
2010003026.tif 000004
【図３】
2010003026.tif 000005
【図４】
2010003026.tif 000006
【図５】
2010003026.tif 000007
【図６】
2010003026.tif 000008